(57)【特許請求の範囲】
【請求項１】
容器本体の上部に、指掛け部としてのトリガーの操作にて作動し、ノズルから液体を噴射するポンプ体が設けられたトリガー式スプレー容器を吊り下げるための吊り下げ具であって、
被掛け体に掛けることができるフック部と、
このフック部の下方に設けられ、前記トリガーが掛けられる掛け部を有し、該掛け部にトリガーが掛けられることで前記トリガー式スプレー容器を吊り下げる吊り下げ体と、
を備えていることを特徴とするトリガー式スプレー容器用吊り下げ具。
【請求項２】
請求項１において、
前記吊り下げ体は、前記フック部から垂下される左右一対の垂下部と、この左右一対の垂下部に横架される横架部を有し、この横架部が前記掛け部を構成していることを特徴とするトリガー式スプレー容器用吊り下げ具。
【請求項３】
請求項２において、
前記横架部は、正面視で中央が両端に比べて下方に位置するＶ字形となっていることを特徴とするトリガー式スプレー容器用吊り下げ具。
【請求項４】
請求項１〜３のうちいずれか一項において、
前記吊り下げ体は、該吊り下げ体に吊り下げられたトリガー式スプレー容器のノズルに対向するノズルカバー部を有していることを特徴とするトリガー式スプレー容器用吊り下げ具。
【請求項５】
請求項１〜４のうちいずれか一項において、
前記フック部は側方に開口を有する全体として略Ｃ字形状を呈する弾性部材で構成し、前記被掛け体に掛けられる上部の円弧部の曲率半径をＲ、前記開口の開口長さをＨとしたとき、Ｈ＜２Ｒとなっていることを特徴とするトリガー式スプレー容器用吊り下げ具。
【請求項６】
請求項１〜５のうちいずれか一項において、
前記フック部は、前記吊り下げ体に対し、鉛直方向軸回りに回動可能となっていることを特徴とするトリガー式スプレー容器用吊り下げ具。
【発明の詳細な説明】
【技術分野】
【０００１】
本発明は、トリガー式スプレー容器用吊り下げ具に関するものである。
【背景技術】
【０００２】
従来、例えば特許文献１に見られるように、容器本体（１０）の上部に、指掛け部としてのトリガー（２５）の操作にて作動し、ノズル（２４）から液体を噴射するポンプ体（２０）が設けられたトリガー式スプレー容器が知られている。
しかし、このようなトリガー式スプレー容器を吊すのに適した物は従来知られていない。
【０００３】
一方、従来、例えば特許文献２に見られるように、スプレー容器（４）の首部に対し、容器本体（３）とこれに螺合される吐出口付きキャップ（２）とで取付部（５）を挟持することで容器（４）に取り付けられるボトルホルダーが知られている。
このボルトホルダーによれば、スプレー容器（４）を壁面に固定することができる。
【０００４】
このようなボルトホルダーをトリガー式スプレー容器に適用すれば、トリガー式スプレー容器を壁面に固定することも可能であると思われる。
しかし、そのためには、容器本体（１０）とポンプ体（２０）の下部に設けられているベースキャップ（５０）とでボトルホルダーの取付部（５）を挟持する作業が必要であり、その作業が繁雑である。また容器本体（１０）とベースキャップ（５０）との間で液漏れが生じやすくなるおそれもある。
【先行技術文献】
【特許文献】
【０００５】
【特許文献１】特開２０１４−１９８５８３号公報
【特許文献２】実用新案登録第３１３１５６４号公報
【発明の概要】
【発明が解決しようとする課題】
【０００６】
本発明が解決しようとする課題は、トリガー式スプレー容器を吊しておくのに適したトリガー式スプレー容器用吊り下げ具を提供することである。
【課題を解決するための手段】
【０００７】
上記課題を解決するために本発明のトリガー式スプレー容器用吊り下げ具は、
容器本体の上部に、指掛け部としてのトリガーの操作にて作動し、ノズルから液体を噴射するポンプ体が設けられたトリガー式スプレー容器を吊り下げるための吊り下げ具であって、
被掛け体に掛けることができるフック部と、
このフック部の下方に設けられ、前記トリガーが掛けられる掛け部を有し、該掛け部にトリガーが掛けられることで前記トリガー式スプレー容器を吊り下げる吊り下げ体と、
を備えていることを特徴とする。
【０００８】
このトリガー式スプレー容器用吊り下げ具によれば、フック部を被掛け体（例えば、浴室のタオル掛けやドアの取っ手、キッチンの吊り戸棚のポールや、ロッカー、洋服ダンス内のポール等、フック部を掛けることができる対象）に掛け、該フック部の下方に設けられた吊り下げ体の掛け部に対してトリガー式スプレー容器のトリガーを掛けることによってトリガー式スプレー容器を吊り下げることができる。
すなわち、トリガー式スプレー容器を床等において保管するのではなく、被掛け体に吊り下げて保管することが可能となる。
【０００９】
このトリガー式スプレー容器用吊り下げ具においては、
前記吊り下げ体は、前記フック部から垂下される左右一対の垂下部と、この左右一対の垂下部に横架される横架部を有し、この横架部で前記掛け部を構成することができる。
このように構成すると、トリガー式スプレー容器を安定した状態で吊り下げることができる。
【００１０】
このトリガー式スプレー容器用吊り下げ具においては、
前記横架部は、正面視で中央が両端に比べて下方に位置するＶ字形となっている構成とすることができる。
このように構成すると、トリガーを横架部に掛けてトリガー式スプレー容器を吊した際、Ｖ字形の横架部に沿って該横架部の中央部にトリガーが移動しやすくなるので、トリガー式スプレー容器を一層安定した状態で吊り下げることができる。
【００１１】
このトリガー式スプレー容器用吊り下げ具においては、
前記吊り下げ体は、該吊り下げ体に吊り下げられたトリガー式スプレー容器のノズルに対向するノズルカバー部を有している構成とすることができる。
このように構成すると、トリガー式スプレー容器を吊り下げ体に吊り下げた際、トリガー式スプレー容器のノズルが、該ノズルに対向するノズルカバー部で覆われた状態となるので、ノズルが濡れていたり汚れていた場合でも、ノズルに衣類等が接触しにくくなる。
したがって、洋服ダンス等の中の被掛け体にも安心して吊すことができる。
【００１２】
このトリガー式スプレー容器用吊り下げ具においては、
前記フック部は側方に開口を有する全体として略Ｃ字形状を呈する弾性部材で構成し、前記被掛け体に掛けられる上部の円弧部の曲率半径をＲ、前記開口の開口長さをＨとしたとき、Ｈ＜２Ｒとなっている構成とすることができる。
このように構成すると、前記開口の開口長さ方向と同方向の長さがＨ以上で幅が２Ｒ以下の被掛け体に対して、フック部の弾性を利用し開口を広げることでフック部を被掛け体に掛けることが可能となる。
そして、フック部を上記のような被掛け体（前記開口の開口長さ方向と同方向の長さがＨ以上で幅が２Ｒ以下の被掛け体）に掛け、吊り下げ体にトリガー式スプレー容器を吊した場合において、トリガー式スプレー容器を吊り下げ体から外すべく上方へ持ち上げた際に、トリガー式スプレー容器が本願吊り下げ具に当接して該吊り下げ具が、その開口が被掛け体から外れる方向へ移動したとしても、開口の開口長さＨは被掛け体の前記開口の開口長さ方向と同方向の長さよりも小さくなっているので、フック部が被掛け体から外れにくくなる。
【００１３】
このトリガー式スプレー容器用吊り下げ具においては、
前記フック部は、前記吊り下げ体に対し、鉛直方向軸回りに回動可能となっている構成とすることができる。
このように構成すると、被掛け体に対するトリガー式スプレー容器の吊り下げ方向を自由に変更できるため、使い勝手が向上する。
【図面の簡単な説明】
【００１４】
【図１】本発明に係るトリガー式スプレー容器用吊り下げ具の一実施の形態を示す図で、（ａ）は平面図、（ｂ）は正面図、（ｃ）は左側面図、（ｄ）は図（ｂ）におけるｄ−ｄ断面図、（ｅ）は底面図、（ｆ）は背面図、（ｇ）は図（ｃ）におけるｇ−ｇ断面図。
【図２】使用状態説明図。
【図３】トリガー式スプレー容器の吊り下げ状態を示す図で、（ａ）は正面図、（ｂ）は左側面図、（ｃ）は図（ａ）のｃ−ｃ断面図、（ｄ）は背面図。
【図４】（ａ）〜（ｄ）はそれぞれ作用説明図、（ｅ）は他の実施の形態の作用説明図。
【図５】他の実施の形態を示す図で、（ａ）は平面図、（ｂ）は正面図、（ｃ）は左側面図、（ｄ）は図（ｂ）におけるｄ−ｄ断面図、（ｅ）は底面図、（ｆ）は背面図、（ｇ）は図（ｃ）におけるｇ−ｇ断面図。
【発明を実施するための形態】
【００１５】
以下、本発明に係るトリガー式スプレー容器用吊り下げ具の実施の形態について図面を参照して説明する。なお、各図において、同一部分ないし相当する部分には、同一の符号を付してある。
【００１６】
図１〜図３に示すように、この実施の形態のトリガー式スプレー容器用吊り下げ具１０は、容器本体２（図２）の上部に、指掛け部としてのトリガー３の操作にて作動し、ノズル４から液体を噴射するポンプ体５が設けられたトリガー式スプレー容器１を吊り下げるための吊り下げ具である。
【００１７】
このトリガー式スプレー容器用吊り下げ具１０は、被掛け体４０に掛けることができるフック部２０と、このフック部２０の下方に設けられ、前記容器１のトリガー３が掛けられる掛け部３１を有し、該掛け部３１にトリガー３が掛けられることでトリガー式スプレー容器１を吊り下げる吊り下げ体３０とを備えている。
【００１８】
このトリガー式スプレー容器用吊り下げ具１０によれば、例えば図２，図３に示すように、フック部２０を被掛け体４０（例えば、浴室のタオル掛けやドアの取っ手、キッチンの吊り戸棚のポールや、ロッカー、洋服ダンス内のポール等、フック部２０を掛けることができる対象）に掛け、フック部２０の下方に設けられた吊り下げ体３０の掛け部３１に対して、図２の矢印ａで示すようにトリガー式スプレー容器１のトリガー３を掛けることによってトリガー式スプレー容器１を図３に示すように吊り下げることができる。
すなわち、トリガー式スプレー容器１を床等において保管するのではなく、利用場所に応じて被掛け体４０に吊り下げて保管することが可能となる。
【００１９】
例えば、トリガー式スプレー容器１が浴室で利用される浴室用洗剤等である場合には、浴室のタオル掛けやドアの取っ手等に吊すことができる。
トリガー式スプレー容器１がキッチンで利用されるキッチン用洗剤等である場合には、キッチンの吊り戸棚のポール等に吊すことができる。
トリガー式スプレー容器１が洋服等のための消臭スプレー等である場合には、ロッカー、洋服ダンス内のポール等に吊すことができる。
【００２０】
主として図１に示すように、吊り下げ体３０は、フック部２０から垂下される左右一対の垂下部３２，３２と、この左右一対の垂下部３２，３２に横架される横架部（３１）とを有し、この横架部（３１）で前記掛け部３１が構成されている。
このように構成すると、トリガー式スプレー容器１を安定した状態で吊り下げることができる。
横架部（３１）は断面Ｃ字状の棒状体である。
【００２１】
図示はしないが、吊り下げ体３０は、フック部２０から垂下される一つの垂下部（３２）と、この一つの垂下部から横方向へ延出した横棒体（３１）とを有し、この横棒体（３１）で掛け部（３１）を構成することも可能である。しかし、その場合に比べ、フック部２０から垂下される左右一対の垂下部３２，３２と、この左右一対の垂下部３２，３２に横架される横架部（３１）とを有し、この横架部（３１）で掛け部３１を構成することにより、トリガー式スプレー容器１を安定した状態で吊り下げることが可能となる。
【００２２】
図１（ｂ）（ｆ）に示すように、横架部（掛け部３１）は、正面視で中央３１ｃが両端３１ｂに比べて下方に位置するＶ字形となっている。
このように構成すると、図３に示すようにトリガー３を横架部３１に掛けてトリガー式スプレー容器１を吊した際、図３（ａ）（ｄ）に示すように、Ｖ字形の横架部３１に沿って該横架部３１の中央部３１ｃにトリガー３が移動しやすくなるので、トリガー式スプレー容器１を一層安定した状態で吊り下げることができる。
【００２３】
図１，図３に示すように、吊り下げ体３０は、該吊り下げ体３０に吊り下げられたトリガー式スプレー容器１のノズル４に対向するノズルカバー部３４を有している。
このように構成すると、トリガー式スプレー容器１を吊り下げ体３０に吊り下げた際、トリガー式スプレー容器１のノズル４が、該ノズル４に対向するノズルカバー部３４で覆われた状態となるので、ノズル４が濡れていたり汚れていた場合でも、ノズル４に衣類等が接触しにくくなる。
したがって、洋服ダンス等の中の被掛け体４０にも安心して吊すことができる。
【００２４】
図１，図３に示す吊り下げ体３０の垂下部３２，３２は板状であり、前方（掛け部３１に掛けられたスプレー容器１のトリガー３よりもノズル４側）へ延びる延出部３２ｆ（図１）を有し、それら延出部３２ｆ同士が平面視アーチ状の湾曲板３２ｃで一体に連結されていて、該連結部（３２ｃ）で前記ノズルカバー部３４が形成されている。
吊り下げ体３０は、合成樹脂製の一体成形品で構成することができる。
【００２５】
図１（ｃ）に示すように、フック部２０は側方に開口２１を有する全体として略Ｃ字形状を呈する弾性部材（例えばＰＰその他の合成樹脂）で構成されている。
図１（ｃ）に示すように、被掛け体４０に掛けられる上部の円弧部の曲率半径をＲ、開口２１の開口長さをＨとしたとき、Ｈ＜２Ｒとなっている。
【００２６】
このように構成すると、例えば図２に示すように、前記開口２１の開口長さ方向と同方向（図示の場合、上下方向）の長さがＨ以上で幅が２Ｒ以下の被掛け体４０に対して、フック部２０の弾性を利用し開口２１を開口方向（矢印Ｙ１，Ｙ２方向）に広げることでフック部２０を被掛け体４０に掛けることが可能となる。
【００２７】
そして、例えば図３に示すように、フック部２０を上記のような被掛け体４０（前記開口２１の開口長さＨ方向と同方向の長さＬ（図４）がＨ以上で幅が２Ｒ以下の被掛け体４０）に掛け、吊り下げ体３０にトリガー式スプレー容器１を吊した場合において、トリガー式スプレー容器１を吊り下げ体３０から外すべく上方へ持ち上げた際に、トリガー式スプレー容器１が吊り下げ具１０に当接し、例えば図４（ａ）から（ｂ）に示すように、吊り下げ具１０が、その開口２１が被掛け体４０から外れる方向へ移動したとしても、開口２１の開口長さＨは被掛け体４０の前記開口２１の開口長さ方向と同方向の長さＬよりも小さくなっているので、フック部２０が被掛け体４０から外れにくくなる。
【００２８】
また、例えば図４（ｃ）（ｄ）に示すように、被掛け体の断面が円形ではなく楕円形（トラック形状）の場合でも、開口２１の開口長さＨが被掛け体４０の前記開口２１の開口長さＨ方向と同方向の長さＬよりも小さいときには、同様の作用効果が得られる。
また、例えば図４（ｅ）に示すように、開口２１がフック部２０の斜め下方に設けられている場合も同様である。
なお、図４（ｅ）に示すトリガー式スプレー容器用吊り下げ具の詳細を図５に示す。
【００２９】
図１（ｂ）に示すように、フック部２０は、吊り下げ体３０に対し、鉛直方向軸Ａ回りに回動可能となっている。
このように構成すると、被掛け体４０に対するトリガー式スプレー容器１の吊り下げ方向を自由に変更できるため、使い勝手が向上する。
【００３０】
フック部２０の下部には、割爪状の連結軸２３が一体に設けられており、この連結軸２３が、吊り下げ体３０の前記一対の垂下部３２，３２の上部を一体に連結する正面視アーチ形の天板３３に設けられた軸受け部３３ａに回転可能に係合していることによって、フック部２０は吊り下げ体３０に対して回動可能となっている。
【００３１】
以上、本発明の実施の形態について説明したが、本発明は上記の実施の形態に限定されるものではなく、本発明の要旨の範囲内において適宜変形実施可能である。
【符号の説明】
【００３２】
１：    トリガー式スプレー容器
２：    容器本体
３：    トリガー
４：    ノズル
５：    ポンプ体
１０：    トリガー式スプレー容器用吊り下げ具
２０：    フック部
２１：    開口
３０：    吊り下げ体
３１：    掛け部（横架部）
３１ｂ：  両端
３１ｃ：  中央
３２：    垂下部
３４：    ノズルカバー部
４０：    被掛け体
【要約】
【課題】トリガー式スプレー容器を吊しておくのに適したトリガー式スプレー容器用吊り下げ具を提供する。
【解決手段】容器本体２の上部に、指掛け部としてのトリガー３の操作にて作動し、ノズル４から液体を噴射するポンプ体５が設けられたトリガー式スプレー容器１を吊り下げるための吊り下げ具であり、被掛け体４０に掛けることができるフック部２０と、フック部２０の下方に設けられ、トリガー３が掛けられる掛け部３１を有し、掛け部３１にトリガー３が掛けられることでトリガー式スプレー容器１を吊り下げる吊り下げ体３０とを備えている。
【選択図】図２【図１】
0005989216.tif 000002
【図２】
0005989216.tif 000003
【図３】
0005989216.tif 000004
【図４】
0005989216.tif 000005
【図５】
0005989216.tif 000006